(57)【要約】アクセスネットワークにおける回線給電ネットワーク要素を制御する方法を提供する。本方法は、回線給電ネットワーク要素における回線電力コントローラの少なくとも１つのインスタンスのプロビジョニングを行うステップと、回線電力コントローラの少なくとも１つのインスタンスに関連付けられる少なくとも１つの導電性媒体のプロビジョニングを行うステップと、回線給電ネットワーク要素を監視するため回線電力コントローラが使用する少なくとも１つの基本変数を受け取るステップと、少なくとも１つの基本変数の少なくとも１つを監視するステップと、回線給電ネットワーク要素のための電力状態に応答し、少なくとも１つの基本変数の監視されたものに基づいて、少なくとも１つの回線電力制御機能を通じて選択的に措置を講じるステップとを含む。
2006526952.tif 000002
【特許請求の範囲】
【請求項１】
アクセスネットワークにおける回線給電ネットワーク要素を制御する方法であって、
前記回線給電ネットワーク要素における回線電力コントローラの少なくとも１つのインスタンスのプロビジョニングを行うステップと、
前記回線電力コントローラの前記少なくとも１つのインスタンスに関連付けられる少なくとも１つの導電性媒体のプロビジョニングを行うステップと、
前記回線給電ネットワーク要素を管理するため前記回線電力コントローラが使用する少なくとも１つの基本変数を受け取るステップと、
前記回線電力コントローラの前記少なくとも１つのインスタンスに関連付けられる少なくとも１つの電力制御機能のプロビジョニングを行うステップと、
前記少なくとも１つの基本変数の少なくとも１つを監視するステップと、
前記回線給電ネットワーク要素の電力状態に応答し、前記少なくとも１つの基本変数の監視されたものに基づいて、前記少なくとも１つの回線電力制御機能を通じて選択的に措置を講じるステップとを含む方法。
【請求項２】
少なくとも１つの基本変数を受け取る前記ステップが、要素管理システムからのパススルーとして、ソースネットワーク要素から前記少なくとも１つの基本変数を受け取るステップを含む、請求項１に記載の方法。
【請求項３】
少なくとも１つの基本変数を受け取る前記ステップが、要素管理システム上で実行される電力管理アプリケーションと前記回線電力コントローラとの間のインタフェースを規定する基本変数の集合を受け取るステップを含む、請求項１に記載の方法。
【請求項４】
少なくとも１つの基本変数を受け取る前記ステップが、前記回線電力コントローラと前記少なくとも１つの回線電力制御機能との間のインタフェースを規定する基本変数の集合を受け取るステップを含む、請求項１に記載の方法。
【請求項５】
選択的に措置を講じる前記ステップが、１つかそれ以上の電力セーブ及び保護スイッチング機能を起動するステップを含む、請求項１に記載の方法。
【請求項６】
前記回線電力コントローラの前記少なくとも１つのインスタンスに関連付けられる少なくとも１つの導電性媒体のプロビジョニングを行う前記ステップが、通信信号をも伝送する少なくとも１つの導電性媒体を関連付けるステップを含む、請求項１に記載の方法。
【請求項７】
前記回線電力コントローラの前記少なくとも１つのインスタンスに関連付けられる少なくとも１つの導電性媒体のプロビジョニングを行う前記ステップが、少なくとも１つの媒体インタフェースによって少なくとも１つの導電性媒体を関連付けるステップを含む、請求項１に記載の方法。
【請求項８】
回線電力をサブテンデッドシンクネットワーク要素に提供する、アクセスネットワークにおけるソースネットワーク要素であって、
１つかそれ以上の通信リンクを介して前記サブテンデッドシンクネットワーク要素とやり取りする通信信号を提供し、かつ前記サブテンデッドシンクネットワーク要素に回線給電を提供する通信回路と、
前記通信回路に結合したプロセッサであって、前記プロセッサが、前記サブテンデッドシンクネットワーク要素でプロビジョニングされたサービスに基づいて、回線電力コントローラをインスタンス化することができ、前記回線電力コントローラが、少なくとも１つのプロビジョニングされた基本変数に基づいて、前記ソースネットワーク要素及び前記シンクネットワーク要素の消費電力を監視及び制御することができ、前記回線電力コントローラが、前記ソースネットワーク要素と前記シンクネットワーク要素との間で電力を伝える少なくとも１つの導電性媒体に関連付けられるプロセッサとを備えるソースネットワーク要素。
【請求項９】
前記回線電力コントローラが、前記少なくとも１つのプロビジョニングされた基本変数に基づいて、電力セーブ機能を起動することができる、請求項８に記載のソースネットワーク要素。
【請求項１０】
さらに、基本変数のデータベースを有するデータストアを備え、前記回線電力コントローラが前記ソースネットワーク要素についての基本変数の前記データベースを保持する、請求項８に記載のソースネットワーク要素。
【請求項１１】
前記回線電力コントローラが、前記ソースネットワーク要素の消費電力を監視及び制御する少なくとも１つの回線電力制御機能のプロビジョニングを行う、請求項８に記載のソースネットワーク要素。
【請求項１２】
さらに、前記通信回路の出力に結合し、前記通信信号と同じリンク上での電力信号の伝送を可能にすることができるスプリッタを備える、請求項８に記載のソースネットワーク要素。
【請求項１３】
前記回線電力コントローラが、少なくとも１つの媒体インタフェースによって少なくとも１つの導電性媒体に関連付けられる、請求項８に記載のソースネットワーク要素。
【請求項１４】
アクセスネットワークにおけるソースネットワーク要素からサブテンドされ、前記ソースネットワーク要素から回線電力を受け取るシンクネットワーク要素であって、
前記ソースネットワーク要素といくつかの加入者インタフェースとの間の通信信号を提供する通信回路と、
前記通信回路に結合したプロセッサであって、前記プロセッサが、前記シンクネットワーク要素でプロビジョニングされたサービスに基づいて、回線電力コントローラをインスタンス化することができ、前記回線電力コントローラが、少なくとも１つのプロビジョニングされた基本変数に基づいて、前記シンクネットワーク要素の消費電力を監視及び制御することができ、前記回線電力コントローラが、前記ソースネットワーク要素と前記シンクネットワーク要素との間で電力を伝える少なくとも１つの導電性媒体に関連付けられるプロセッサとを備えるシンクネットワーク要素。
【請求項１５】
前記回線電力コントローラが、前記少なくとも１つのプロビジョニングされた基本変数に基づいて電力セーブ機能を起動することができる、請求項１４に記載のシンクネットワーク要素。
【請求項１６】
さらに、基本変数のデータベースを有するデータストアを備え、前記回線電力コントローラが、前記シンクネットワーク要素についての基本変数の前記データベースを保持する、請求項１４に記載のシンクネットワーク要素。
【請求項１７】
前記回線電力コントローラが、前記シンクネットワーク要素の消費電力を監視及び制御する少なくとも１つの回線電力制御機能のプロビジョニングを行う、請求項１４に記載のシンクネットワーク要素。
【請求項１８】
前記少なくとも１つの回線電力制御機能が、前記少なくとも１つのプロビジョニングされた基本変数に基づいて前記シンクネットワーク要素に対してプロビジョニングされたサービスを無効にするかまたは低下させる、請求項１７に記載のシンクネットワーク要素。
【請求項１９】
さらに、前記通信回路の入力に結合し、前記通信信号と同じリンク上での電力信号の受け取りを可能にすることができるスプリッタを備える、請求項１４に記載のシンクネットワーク要素。
【請求項２０】
前記回線電力コントローラが、少なくとも１つの媒体インタフェースによって少なくとも１つの導電性媒体に関連付けられる、請求項１４に記載のシンクネットワーク要素。
【請求項２１】
アクセスネットワークにおける回線給電ネットワーク要素を制御するプログラム命令を格納する記憶媒体を備える装置であって、前記プログラム命令が、
前記回線給電ネットワーク要素における回線電力コントローラの少なくとも１つのインスタンスのプロビジョニングを行うステップと、
前記回線電力コントローラの前記少なくとも１つのインスタンスに関連付けられる少なくとも１つの導電性媒体のプロビジョニングを行うステップと、
前記回線給電ネットワーク要素を管理するため前記回線電力コントローラが使用する少なくとも１つの基本変数を受け取るステップと、
前記回線電力コントローラの前記少なくとも１つのインスタンスに関連付けられる少なくとも１つの電力制御機能のプロビジョニングを行うステップと、
前記少なくとも１つの基本変数の少なくとも１つを監視するステップと、
前記ネットワーク要素のための電力条件に応答し、前記少なくとも１つの基本変数の監視されたものに基づいて、前記少なくとも１つの回線電力制御機能を通じて選択的に措置を講じるステップとを含む方法を、少なくとも１つのプログラム可能プロセッサに実行させるよう動作する命令を含む装置。
【請求項２２】
少なくとも１つの基本変数を受け取る前記ステップが、要素管理システムからのパススルーとして、ソースネットワーク要素から前記少なくとも１つの基本変数を受け取るステップを含む、請求項２１に記載の装置。
【請求項２３】
少なくとも１つの基本変数を受け取る前記ステップが、要素管理システム上で実行される電力管理アプリケーションと前記回線電力コントローラとの間のインタフェースを定義する基本変数の集合を受け取るステップを含む、請求項２１に記載の装置。
【請求項２４】
少なくとも１つの基本変数を受け取る前記ステップが、前記回線電力コントローラと前記少なくとも１つの回線電力制御機能との間のインタフェースを定義する基本変数の集合を受け取るステップを含む、請求項２１に記載の装置。
【請求項２５】
選択的に措置を講じる前記ステップが、１つかそれ以上の電力セーブ及び保護スイッチング機能を起動するステップを含む、請求項２１に記載の装置。
【請求項２６】
前記回線電力コントローラの前記少なくとも１つに関連付けられる少なくとも１つの導電性媒体のプロビジョニングを行う前記ステップが、通信信号をも伝送する少なくとも１つの導電性媒体を関連付けるステップを含む、請求項２１に記載の装置。
【請求項２７】
前記回線電力コントローラの前記少なくとも１つのインスタンスに関連付けられる少なくとも１つの導電性媒体のプロビジョニングを行う前記ステップが、少なくとも１つの媒体インタフェースによって少なくとも１つの導電性媒体を関連付けるステップを含む、請求項２１に記載の装置。
【請求項２８】
アクセスネットワークにおける回線給電ネットワーク要素を制御する方法であって、
前記回線給電ネットワーク要素における回線電力コントローラの少なくとも１つのインスタンスのプロビジョニングを行うステップと、
前記回線電力コントローラの前記少なくとも１つのインスタンスに関連付けられる少なくとも１つの導電性媒体のプロビジョニングを行うステップと、
前記回線給電ネットワーク要素を管理するため前記回線電力コントローラが使用する少なくとも１つの基本変数を受け取るステップと、
前記少なくとも１つの基本変数の少なくとも１つを監視するステップと、
前記回線給電ネットワーク要素のための電力条件に応答し、前記少なくとも１つの基本変数の監視されたものに基づいて、前記少なくとも１つの回線電力コントローラを通じて選択的に措置を講じるステップとを含む方法。
【請求項２９】
少なくとも１つの基本変数を受け取る前記ステップが、選択したサービスについての電力プロファイルに関連付けられる複数の基本変数を受け取るステップを含む、請求項２８に記載の方法。
【請求項３０】
さらに、前記回線給電ネットワーク要素に関連付けられるデータベース中に前記受け取った基本変数を格納するステップを含む、請求項２８に記載の方法。
【請求項３１】
前記受け取った基本変数を格納する前記ステップが、前記回線電力コントローラの前記インスタンスの識別子を生成するステップと、前記識別子に関連付けられる基本変数をデータベース中に格納するステップとを含む、請求項３０に記載の方法。
【請求項３２】
少なくとも１つの基本変数を受け取る前記ステップが、制御基本変数と、警報基本変数と、監視基本変数のうち少なくとも１つを受け取るステップを含む、請求項２８に記載の方法。
【請求項３３】
さらに、前記少なくとも１つの基本変数を使用してデータを出力するステップを含む、請求項２８に記載の方法。
【請求項３４】
データを出力する前記ステップが、警報または条件をクラフトポート及び遠隔監視局のうち１つに出力するステップを含む、請求項３３に記載の方法。
【請求項３５】
前記回線電力コントローラの前記少なくとも１つのインスタンスによって少なくとも１つの導電性媒体のプロビジョニングを行うステップが、通信信号をも伝送する少なくとも１つの導電性媒体を関連付けるステップを含む、請求項２８に記載の装置。
【請求項３６】
前記回線電力コントローラの前記少なくとも１つのインスタンスによって少なくとも１つの導電性媒体のプロビジョニングを行うステップが、少なくとも１つの媒体インタフェースによって少なくとも１つの導電性媒体を関連付けるステップを含む、請求項２８に記載の装置。
【請求項３７】
アクセスネットワークにおけるシンクネットワーク要素を制御する方法であって、前記シンクネットワーク要素がソースネットワーク要素からサブテンドされ、前記方法が、
前記シンクネットワーク要素の回線電力コントローラと前記ソースネットワーク要素の関連付けられる回線電力コントローラの少なくとも１つのインスタンスのプロビジョニングを行うステップと、
前記ソース及びシンクネットワーク要素の各々において前記回線電力コントローラの前記少なくとも１つのインスタンスに関連付けられる少なくとも１つの導電性媒体のプロビジョニングを行うステップと、
前記シンクネットワーク要素の前記回線電力コントローラが使用する少なくとも１つの基本変数と前記ソースネットワーク要素の前記回線電力コントローラが使用する少なくとも１つの基本変数とを受け取るステップと、
前記ソースネットワーク要素及び前記シンクネットワーク要素の各々の前記少なくとも１つの基本変数の少なくとも１つを監視するステップと、
前記ソースネットワーク要素及び前記シンクネットワーク要素のための電力条件に応答し、前記少なくとも１つの基本変数の監視されたものに基づいて、それぞれ少なくとも１つの回線電力コントローラを通じて前記ソースネットワーク要素及び前記シンクネットワーク要素の各々で選択的に措置を講じるステップとを含む方法。
【請求項３８】
少なくとも１つの基本変数を受け取る前記ステップが、
前記ソースネットワーク要素において要素管理システムから複数の基本変数を受け取るステップと、
前記ソースネットワーク要素から受け取った前記複数の基本変数から前記ソースネットワーク要素に関連付けられる基本変数を選択するステップと、
前記ソースネットワーク要素に関連付けられるデータベース中に前記選択した基本変数を格納するステップと、
前記複数の基本変数の残りのものを前記シンクネットワーク要素にパススルーするステップと、
前記シンクネットワーク要素に関連付けられるデータベース中に前記残りの複数の基本変数を格納するステップとを備える、請求項３７に記載の方法。
【請求項３９】
前記回線電力コントローラの前記少なくとも１つのインスタンスに関連付けられる少なくとも１つの導電性媒体のプロビジョニングを行う前記ステップが、通信信号をも伝送する少なくとも１つの導電性媒体を関連付けるステップを含む、請求項３７に記載の方法。
【請求項４０】
前記回線電力コントローラの前記少なくとも１つのインスタンスに関連付けられる少なくとも１つの導電性媒体のプロビジョニングを行う前記ステップが、少なくとも１つの媒体インタフェースによって少なくとも１つの導電性媒体を関連付けるステップを含む、請求項３７に記載の方法。
【発明の詳細な説明】
【技術分野】
【０００１】
関連出願の相互参照
本出願は、２００２年４月２９日出願の出願第１０／１３４，３２３号「回線給電ネットワーク要素における電力管理」（第’３２３号出願）の一部係属出願である。第’３２３号出願は引用によって本出願の記載に援用する。
【０００２】
また、本出願は、同じ日付で出願された以下の出願に関連する。
出願番号第１０／４４９，９１０号「ネットワークにおける回線給電を制御する機能」、弁理士事件整理番号第１００．３５８ＵＳ０１号（第’３５８号出願）
出願番号第１０／４４９，６８２号「回線給電ネットワーク要素を管理する要素管理システム」、弁理士事件整理番号第１００．３６０ＵＳ０１号（第’３６０号出願）
出願番号第１０／４４９，５４６号「スプリッタ」、弁理士事件整理番号第１００．５９２ＵＳ０１号（第’５９２号出願）
第’３５８、’３６０及び’５９２号出願は引用によって本出願の記載に援用する。
【背景技術】
【０００３】
電気通信ネットワークは、様々な位置にあるユーザ機器間で信号を伝達する。電気通信ネットワークは多数の構成要素を含む。例えば、電気通信ネットワークは通常、ネットワーク要素間の信号の選択的ルーティングを提供する多数のスイッチング素子を含む。さらに、電気通信ネットワークは、スイッチ間にあって信号を伝達する、例えばより線対、光ファイバケーブル、同軸ケーブル等といった通信媒体を含む。さらに、通信ネットワークの中にはアクセスネットワークを含むものもある。
【０００４】
本明細書では、「アクセスネットワーク」という用語は、例えば、加入者機器または装置によるコアネットワークへの接続を可能にする公衆交換電話ネットワーク（ＰＳＴＮ）のような電気通信ネットワークの一部を意味する。本明細書では、アクセスネットワークという用語はさらに、一般には企業ネットワークの一部と考えられるものではあるが、顧客側設備（ＣＬＥ）を含む。アクセスネットワークの従来の例には、普通中央局または外部プラントキャビネット内に配置され、サービスインタフェースをサービスエリア内の加入者に直接提供するケーブルプラント及び外部プラントキャビネットが含まれる。アクセスネットワークは、加入者サービス終点と、所定のサービスを提供する通信ネットワークとの間のインタフェースを提供する。アクセスネットワークは通常多数のネットワーク要素を含む。
【０００５】
ネットワーク要素は、プロビジョニングされた電気通信サービスのためのサービスインタフェースを提供する、アクセスネットワーク内の設備または機器である。ネットワーク要素は、独立型装置でもよくまた多数の装置間に分散してもよい。ネットワーク要素は、中央局内に配置してもよく、外部プラント内に配置してもよく、また顧客側設備（ＣＬＥ）内に配置してもよい。ネットワーク要素の中には外部プラントの環境に対して強化されたものもある。本明細書で定義されるアクセスネットワークでは、様々なネットワーク要素は異なるエンティティによって所有されたものであってよい。例えば、アクセスネットワーク中の大多数のネットワーク要素は、地域ベル電話交換会社（ＲＢＯＣ）の１つのよって所有されたものであってもよいが、ＣＬＥは加入者が所有してもよい。こうした加入者設備は、従来加入者の企業ネットワークの一部と考えられているが、本明細書では、アクセスネットワークの一部と定義することができる。
【０００６】
アクセスネットワークには、多数の従来の形態が存在する。例えば、デジタルループ搬送はアクセスネットワークの初期の一形態である。従来のデジタルループ搬送は、２つのネットワーク要素を使用して、加入者機器との間で信号を伝達していた。コアネットワーク側では、中央局端末が提供される。中央局端末は、例えば多数のＴ１回線または他の適当な高速デジタル移送媒体といった高速デジタルリンクを介して、遠隔端末に接続される。デジタルループ搬送の遠隔端末は通常、従来のより線対引き込み線を介して加入者に接続する。
【０００７】
デジタルループ搬送の遠隔端末は、顧客サービスエリアの深部に展開することが多い。遠隔端末は通常、適切に動作するため電力を必要とするラインカード及び他の電子回路を有する。適用業務の中には、遠隔端末にローカル給電するものもある。残念ながら、ローカル電力の喪失による遠隔端末の機能停止を防止するため、ローカルバッテリープラントを通常使用する。これは、広い温度範囲での動作を規定する外部プラントの動作要求のため、遠隔端末のコストを増大し、その保守を複雑にする。
【０００８】
ネットワークの中には、中央局からの回線を介して遠隔端末に給電するものもある。これを回線電源または回線給電と呼び、交流または直流電源の使用を通じて達成できる。このようにして、ローカル電源が停止した場合、遠隔端末は、通常バッテリーバックアップ式電源を使用して回線を介して給電されているため、機能し続ける。このため遠隔端末は、停電時でも、ライフラインとしての重要な機能を単純旧式電話サービス（ＰＯＴＳ）に提供する。
【０００９】
電気通信ネットワークを介して提供される多様なサービスは次第に変化した。当初、電気通信ネットワークは、狭帯域音声トラフィックを伝達するよう設計された。最近では、ネットワークは広帯域サービスを提供するよう修正された。こうした広帯域サービスには、デジタル加入者回線（ＤＳＬ）サービスのようなサービスが含まれる。時が経つに連れて、他の広帯域サービスもサポートされるだろう。こうした新しいサービスは所用電力の増大を伴うことが多い。
【００１０】
提供されるサービスは変化したが、遠隔端末に給電する方法は変化していない。現在提供されている様々なサービスの全てが対等な立場にあるわけではない。現在のデータサービスは、ライフラインであるＰＯＴＳと異なって、通常必要性は少ないと考えられている。さらに、他の広帯域サービスの中にも、所与の加入者が希望するサービスのレベルと加入者がそれに対して支払おうとするものに影響を与える広い範囲の変動要素が存在する。こうした提供されるサービスの変化にもかかわらず、アクセス設備に電力を提供する方法は、サービスの進歩に歩調を合わせて変化していない。
【００１１】
従って、当業技術分野では、アクセスネットワークにおけるネットワーク要素に電力を提供する方法を改善する必要が存在している。
【発明の開示】
【００１２】
本発明の実施形態は、アクセスネットワークにおけるネットワーク要素への電力の提供に関連する問題に対処する。特に、本発明の実施形態は、回線給電ネットワーク要素のための電力管理を提供する。本発明の実施形態は、要素管理システム上で実行される回線電力マネージャを提供する。電力マネージャは、監視される電力状態に基づいてネットワーク要素の動作を制御する際使用する少なくとも１つの電力基準によって、ネットワーク要素に関連付けられる電力コントローラのプロビジョニングを行う。
【００１３】
１つの実施形態では、アクセスネットワークにおける回線給電ネットワーク要素を制御する方法を提供する。この方法は、回線給電ネットワーク要素における回線電力コントローラの少なくとも１つのインスタンスのプロビジョニングを行うステップと、回線電力コントローラの少なくとも１つのインスタンスに関連付けられる少なくとも１つの導電性媒体のプロビジョニングを行うステップと、回線給電ネットワーク要素を管理するため回線電力コントローラが使用するため少なくとも１つの基本変数を受け取るステップと、少なくとも１つの基本変数の少なくとも１つを監視するステップと、回線給電ネットワーク要素のための電力状態に応答し、少なくとも１つの基本変数の監視されたものに基づいて、少なくとも１つの回線電力コントローラを通じて選択的に措置を講じるステップとを含む。
【発明を実施するための最良の形態】
【００１４】
以下の詳細な説明では、本明細書の一部を形成し、本発明を実施し得る特定の例示実施形態を示す添付の図面を参照する。これらの実施形態は当業者が本発明を実施するのに十分なだけ詳細に説明されているが、他の実施形態も利用可能であり、本発明の精神と範囲から離れることなく論理的、機械的及び電気的な変更をなし得ることを理解されたい。従って、以下の詳細な説明は制限的な意味に受け取られるべきではない。
【００１５】
本発明の実施形態はアクセスネットワークにおける回線給電ネットワーク要素の管理を提供する。いくつかの実施形態を以下詳細に説明する。概要としては、様々な実施形態は、選択可能な「基本変数」（“primitives”）に基づいて回線給電ネットワーク要素の動作を管理する。こうした基本変数は、様々な電力条件下にあるネットワーク要素に対してプロビジョニングされたサービスを管理する処置と基準の集合を定義する、情報及びパラメータを提供する。例えば、基本変数は、利用可能な電力、電力ヘッドルーム、サービスの優先順位、または様々な加入者のためのサービスレベル契約の条項といった要因に基づいて、ネットワーク要素を管理する処置または電力基準を定義する。例示される基本変数のリストは同時係属出願第１０／４４９，９１０号（第’３５８号出願）に見られる。
【００１６】
一般に、回線電力マネージャは、管理されるネットワーク要素のため、及び管理されるネットワーク要素上でプロビジョニングされるサービスのため、の基本変数を確立する。回線電力コントローラは電力マネージャと通信し、ネットワーク要素の監視された電力条件に基づいてネットワーク要素の動作を制御するため基本変数を使用する。例えば、電力が損失または低下した時、例えば、ネットワーク要素の構成要素が低電力モードに置かれた時、機能が使用不能になった時、またはポートまたはサービスが選択的に停止された時、ネットワーク要素の動作を選択的に調整する。
【００１７】
ネットワーク要素の電力に基づく管理は、アクセスネットワークの動作において多くの利点を提供する。第１に、電力の管理によって効率が向上し、全体的な電力の節約が可能になる。これはコストの節約にもつながる。さらに、電力効率の向上によって、顧客サービスエリアでのネットワーク要素の到達距離が長くなる。電力ヘッドルームを電力管理されたアクセスネットワーク用に設計した場合、サービス間隔を長期間にスケジュールまたは延期してもよい。また、電力管理によって、要素の故障及びバッテリープラントの故障中、例えば優先順位及び時間指定したイベントに基づいた制御されたサービスシャットダウンを用いて、優先順位の高いサービスの動作を維持することができる。最後に、ネットワーク要素における電力管理によって、差別化したサービスを生み出す柔軟性が得られる。例えば、電源の故障によってバッテリーバックアップ電源への切換が行われたとき、中程度の優先順位レベルの選択したデータサービスを、選択した期間動作するようプロビジョニングを行ってもよい。
【００１８】
いくつかの実施形態を以下説明する。第Ｉ節は電力管理スキームの１つの実施形態の概要を示す。第ＩＩ節は電力ソースネットワーク要素のための電力コントローラの１つの実施形態を説明する。最後に、第ＩＩＩ節はサブテンデッド電力シンキングネットワーク要素（subtended, power sinking network element）のための電力コントローラの１つの実施形態を説明する。第’３６０号出願には、電力管理スキームを実現するため本明細書で説明するネットワーク要素と共に動作することのできる要素管理システムの１つの実施形態を記載している。
【００１９】
Ｉ．概要
図１は、１００で示すシステムの実施形態の構成図であり、本実施形態は、要素管理システム（ＥＭＳ）１０４上で動作する電力管理アプリケーションを使用して、アクセスネットワーク１０６内の回線給電ネットワーク要素のために電力管理を行う。電力管理アプリケーションは、１つの実施形態では、図１の回線電力マネージャ１０２によって表され、回線給電ネットワーク要素のための電力を管理する回線電力マネージャをインスタンス化する。１つの実施形態では、回線電力マネージャ１０２は、１つかそれ以上の基本変数に基づいて、１つかそれ以上の電力コントローラ、例えばソース回線電力コントローラ１１８及びシンク回線電力コントローラ１２０を通じて、ネットワーク要素、例えば電力ソーシングネットワーク要素（ソースＮＥ）１１０及び電力シンキングネットワーク要素（シンクＮＥ）１１２を管理する。１つの実施形態では、回線給電デジタルループ搬送システムにおいて、シンクＮＥ１１２は遠隔端末（ＲＴ）であり、ソースＮＥ１１０は中央局端末（ＣＯＴ）である。他の実施形態では、シンクＮＥ１１２は、ＤＳＬモデム、一体型アクセス装置、または従来企業ネットワークの一部と考えられた他のネットワーク要素といった顧客宅内設備（ＣＰＥ）である。一般に、シンクＮＥ１１２は加入者設備へのインタフェースを提供し、ソースＮＥ１１０はネットワーク、例えばインターネットのようなデータネットワークへのインタフェースを提供する。ソースＮＥ１１０は導電性媒体１１４を介してシンクＮＥ１１２に電力を提供する。１つの実施形態では、導電性媒体１１４は１つかそれ以上の導電性ケーブル、例えば１つかそれ以上のより線対電話回線、同軸ケーブル、または他の適当な導電性媒体を備える。１つの実施形態では、導電性媒体１１４は、ソースＮＥ１１０とシンクＮＥ１１２との間で、電力信号に加えて通信信号を伝える。
【００２０】
電力管理アプリケーションは、機械可読媒体上に格納された機械可読命令を含み、これらの命令は、電力マネージャ１０２のための方法を実現するためＥＭＳ１０４のプログラム可能プロセッサ上で実行される。本明細書では、「機械可読媒体」は、ランダムアクセスメモリ（ＤＲＡＭ、ＳＲＡＭ）、フラッシュメモリ、読み出し専用メモリ（ＲＯＭ）、電気的消去可能プログラム可能読み出し専用メモリ（ＥＥＰＲＯＭ）、光学または磁気式記憶媒体、または他の適当な記憶媒体を含むが、それらに制限されない。さらに、本明細書では、要素管理システムは、１つかそれ以上のアクセスネットワークと、アクセスネットワーク内の非常に多くのネットワーク要素、例えば中央局端末、遠隔端末、顧客宅内設備、等のための管理を提供することのできる機能を備えたシステムである。ＥＭＳの機能は、プロビジョニング、状態性能監視、危険な動作の警報、レポート生成、統計記録及び多くの他の機能を含む。ＥＭＳ１０４のためのマンマシンインタフェースは、通常グラフィカルユーザインタフェースを備える。１つの実施形態では、ＥＭＳ１０４は、回線電力マネージャ１０２の多重インスタンス化をサポートする。各インスタンス化は、同じかまたは異なる種類の電力管理機能を実現する。
【００２１】
回線電力マネージャ１０２は、電力状態に基づいて、ネットワーク要素、例えばソースＮＥ１１０及びシンクＮＥ１１２が提供するサービスを制御する基本変数の集合を確立する。さらに、回線電力マネージャ１０２は、２００２年４月２９日出願の同時係属出願第１０／１３４，３２３号「回線給電ネットワーク要素における電力管理」（第’３２３号出願）に記載のもののような、関連付けられるデータベース（ＤＢ）１０５中のプロビジョニングされた基本変数を管理する。第’３２３号出願は引用によって本出願に記載に援用する。１つの実施形態では、データベース１０５は、アクセスネットワーク１０６内の全てのネットワーク要素に割り当てられた全ての基本変数のリストを保持する。さらに、各ネットワーク要素は、ネットワーク要素に関連付けられる基本変数のためのデータベース１０５の部分集合を保持する。
【００２２】
回線電力マネージャ１０２は、適当な管理インタフェース、例えば通信ネットワーク１０８を介して、ソース回線電力コントローラ１１８及びシンク回線電力コントローラ１２０と通信する。この管理インタフェースは、何らかの既知またはその後開発された管理インタフェース、例えばＳＮＭＰまたは他の適当な管理インタフェースによって、実現される。１つの実施形態では、回線電力マネージャ１０２は、電力管理アプリケーションのための管理インタフェースベース（ＭＩＢ）での定義に従って、ソース回線電力コントローラ１１８及びシンク回線電力コントローラ１２０と通信する。
【００２３】
１つの実施形態では、ソース回線電力コントローラ１１８及びシンク回線電力コントローラ１２０は、機械可読媒体上に格納され、埋め込みプロセッサ上で実行される機械可読命令として実現する。さらに、１つの実施形態では、ソースＮＥ１１０での電力管理は、１つかそれ以上のソース回線電力制御機能１２２と組み合わせたソース回線電力コントローラ１１８を通じて、実現する。同様に、シンクＮＥ１１２での電力管理は、１つかそれ以上のシンク回線電力制御機能１２４と組み合わせたシンク回線電力コントローラ１２０を通じて、実現する。１つの実施形態では、ソース回線電力制御機能１２２及びシンク回線電力制御機能１２４は、第’３５８号出願に記載のように実現する。
【００２４】
１つかそれ以上の電源１１６から、電力をソースＮＥ１１０及びシンクＮＥ１１２に提供する。アクセスネットワーク１０６及び回線給電ネットワーク要素に対する電源の可能な場所は、引用によって本出願の記載に援用する第’３２３号出願に、詳細に記載されている。
【００２５】
ソースＮＥ１１０及びシンクＮＥ１１２は、導電性媒体１１４を介して互いに結合する。１つの実施形態では、導電性媒体１１４は１つかそれ以上の通信回線、例えば銅ケーブル、より線対等を備える。１つの実施形態では、導電性媒体１１４は、ソースＮＥ１１０とシンクＮＥ１１２との間で、電力及び通信両方の信号を移送する。１つの実施形態では、導電性媒体１１４は、いくつかのリンクを備える。各リンクは、電力及び通信両方の信号を伝えることができる。導電性媒体１１４は、１つの実施形態では、ソースＮＥ１１０とシンクＮＥ１１２との間で電力を伝達する電力インタフェースと、ソースＮＥ１１０とシンクＮＥ１１２との間で管理情報、例えば基本変数を伝える管理通信インタフェースと、ソースＮＥ１１０とシンクＮＥ１１２との間で通信信号を提供するデジタル通信インタフェースとを備える。
【００２６】
動作の際、回線電力マネージャ１０２は、ソースＮＥ１１０からシンクＮＥ１１２に管理された電力を提供するため、データベース１０５に格納された１つかそれ以上の基本変数に基づいて、ソースＮＥ１１０及びシンクＮＥ１１２の動作を管理する。回線電力マネージャ１０２は、１つかそれ以上の基本変数を選択し、それをソース回線電力コントローラ１１８及びシンク回線電力コントローラ１２０に提供する。ソース回線電力コントローラ１１８及びシンク回線電力コントローラ１２０は、ソースＮＥ１１０からシンクＮＥ１１２に電力を提供する導電性媒体１１４に選択的に関連付けられる。
【００２７】
１つの実施形態では、回線電力マネージャ１０２は、シンクＮＥ１１２で提供されるサービスのための「フロースルー」プロビジョニングの一部として少なくとも１つの電力基準を確立する。１つの実施形態では、回線電力マネージャ１０２は、第’３６０号出願の図３に関連して記載されたような明示的または暗黙的何れかの選択（本明細書の他の箇所では「フロースルー」プロビジョニングとも呼ぶ）を通じてこの少なくとも１つの電力基準を確立する。
【００２８】
プロビジョニングされた回線電力コントローラ、例えばソース回線電力コントローラ１１８及びシンク回線電力コントローラ１２０は、プロビジョニングされた基本変数を通じて、それぞれソースＮＥ１１０及びシンクＮＥ１１２の動作を監視する。電力が停止または低下した場合、ソース回線電力コントローラ１１８及びシンク電力コントローラ１２０は適当な基本変数を使用して電力状態を検出及び報告し、現在の電力状態に基づいてソースＮＥ１１０及びシンクＮＥ１１２の動作に対する何らかの必要な調整を行う。例えば、１つの実施形態では、シンクＮＥ１１２で利用可能な電力が低下した時、シンク回線電力コントローラ１２０は、適当な消費電力レベルが達成されるまで優先順位スキームに応じてサービスをシャットダウンする。何らかの適当な優先順位スキームを使用することができる。例えば、優先順位は、サービスの種類、ポート番号、サービスレベル契約、無作為、または他の適当なスキームに基づくものでよい。他の実施形態では、シンク回線電力コントローラ１２０は、シンクＮＥ１１２の構成要素を低電力モードにする。低電力モードの使用も優先順位スキームに応じて実現することができる。
【００２９】
ＩＩ．電力ソーシングネットワーク要素
図２は、回線電力コントローラ２０２を含む、２００で示す電力ソーシングネットワーク要素（ソースＮＥ）の１つの実施形態の構成図である。ソースＮＥ２００は、１つの実施形態では、回線給電ネットワーク要素、例えば回線給電遠隔端末、回線給電顧客側設備、または他の適当な回線給電設備に回線電力を提供する中央局端末（ＣＯＴ）を備える。回線電力コントローラ２０２は、ローカル管理機能と回線電力制御を提供する。ソースＮＥ２００は、何らかの種類のキャビネットまたは中央局内に収容された一種の通信設備装置として規定される。図１のＥＭＳ１０４のような要素管理システムに対しては、ソースＮＥ２００はアクセスネットワークのネットワーク要素である。
【００３０】
ソースＮＥ２００は、ネットワークインタフェースと、１つかそれ以上のサブテンデッド回線給電ネットワーク要素との間で、スプリッタ２２０を通じて信号を通信する。ソースＮＥ２００の通信及び他の基本的な機能は、当該技術分野で公知の通信及び他の回路２０４で達成する。１つの実施形態では、回路２０４は、非対称デジタル加入者回線（ＡＤＳＬ）、Ｇ．ＳＨＤＳＬ、ＶＤＳＬ、及び他の適当な通信プロトコルといった１つかそれ以上の通信プロトコルをサポートする。
【００３１】
ソースＮＥ２００は電源２１２に結合する。１つの実施形態では、電源２１２は交流電力供給部を備える。他の実施形態では、電源２１２は直流電力供給部を備える。さらに別の実施形態では、電源２１２は、バッテリープラントまたは他のバックアップ電力供給部を備えた交流電力供給部を備える。
【００３２】
電源２１２は、ソースＮＥ２００と、デジタルループ搬送の遠隔端末またはＤＳＬモデムまたは一体型アクセス装置のような顧客側設備といったサブテンデッド回線給電ネットワーク要素（シンクＮＥ）に電力を提供する。シンクＮＥの１つの実施形態を図９〜図１１を参照して以下説明する。電源２１２からスプリッタ２２０の入力に、電力を供給する。スプリッタ２２０は、回路２０４からの通信信号と電源２１２からの電力とを結合する。１つの実施形態では、スプリッタ２２０は第’５９２号出願に記載のように構成する。
【００３３】
結合した信号をリンク２１４を介して、サブテンデッドシンクＮＥに供給する。１つの実施形態では、リンク２１４は、例えば、銅ケーブル、より線対等といった導電性媒体を介して、ソースＮＥ２００とサブテンデッドシンクＮＥとの間で、電力及び通信両方の信号を伝える。１つの実施形態では、リンク２１４は１つかそれ以上のリンクを備える。電力を伝える多数のリンクの使用は、シンクＮＥ、例えば回線給電遠隔端末、顧客宅内設備の電力管理を実現する際、有利である。例えば、多数のリンクを使用していて、あるリンクが、損傷または他の理由で十分なパワーを供給できない場合、残りの１つかそれ以上のリンクを介して電力を供給することができる。
【００３４】
回線電力コントローラ２０２は、電力状態に基づいてソースＮＥ２００の動作を管理する。回線電力コントローラ２０２は、電力状態に基づいてソースＮＥ２００の管理を実現するため、回線電力制御機能２０６によって表される、プログラム可能プロセッサ２０８上で実行されるいくつかの機能を含む。１つの実施形態では、回線電力制御機能２０６は第’３５８号出願に記載のように実現する。１つの実施形態では、プロセッサ２０８が使用する機能は、機械可読媒体、例えばデータストア２１０の不揮発性メモリ中に、機械可読命令による複数の手順またはプログラムとして格納する。１つの実施形態では、データストア２１０は、ディスクドライブ、ダイナミックランダムアクセスメモリ（ＤＲＡＭ、ＳＲＡＭ）、フラッシュメモリ、読み出し専用メモリ（ＲＯＭ）、電気的消去可能プログラム可能読み出し専用メモリ（ＥＥＰＲＯＭ）、または他の適当な記憶媒体といった１つかそれ以上の磁気記憶媒体を備える。
【００３５】
プロセッサ２０８上で実行される回線電力コントローラ２０２及び回線電力制御機能２０６は、プロセッサ２０８上で実行される回線電力制御機能の各インスタンスについて確立されたいくつかの基本変数に基づいて電力状態を監視し、ソースＮＥ２００の動作を制御する。基本変数と回線電力制御機能のインスタンスとの間の関連付けは、データストア２１０のデータベース２０９中で確立し保持する。回線電力コントローラの各インスタンスについての基本変数の選択は、１つの実施形態では、第’３６０号出願に記載のシステムのような要素管理システムで達成する。
【００３６】
ソースＮＥ２００の様々な要素は、通信インタフェース２１１を介して互いに結合する。さらに、ソースＮＥ２００は、クラフトポート、ディスプレイ、キーボード、マウス、タッチスクリーンまたは他の適当な入出力装置といった入出力装置へのインタフェースを提供する入出力回路（Ｉ／Ｏ）２２２を含む。１つの実施形態では、通信インタフェース２１１は、ソースＮＥ２００の様々な構成要素間で信号を伝える１つかそれ以上のバスを備える。１つの実施形態では、通信インタフェース２１１は、プロセッサ２０８、データストア２１０、Ｉ／Ｏ回路２２２、及び通信回路２０４に結合する。
【００３７】
図３〜図８は、回線給電ＮＥの管理においてソースＮＥが行う機能の様々な実施形態を示す。
【００３８】
図３は、ソースネットワーク要素（ソースＮＥ）に対して回線電力コントローラのプロビジョニングを行い、この回線電力コントローラによって回線給電ネットワーク要素を管理する処理の１つの実施形態のフローチャートである。その処理は、ブロック３００で開始され、ローカル回線電力コントローラ、例えば図２の回線電力コントローラ２０２をインスタンス化する。本明細書では、回線電力コントローラの単一のインスタンスを説明する。しかし、ソースＮＥの通常動作の際、回線給電ネットワーク要素（単数または複数）でプロビジョニングされる様々なサービスを制御するため、回線電力コントローラの多くのインスタンスが、図２のプロセッサ２０８のようなプロセッサ上で同時に実行されることが理解されるだろう。
【００３９】
その処理は、電力条件に基づき基本変数の１つかそれ以上の集合に基づいて、ネットワーク要素の動作を制御する。ブロック３０２では、基本変数の１つかそれ以上の集合を受け取る。１つの実施形態では、先に図１を参照し、かつ第’３６０号出願で説明したような要素管理システム上で実行される電力管理アプリケーションから、基本変数を受け取る。１つの実施形態では、こうした基本変数は、要素管理システム上で実行される電力管理アプリケーションと回線電力コントローラとの間のインタフェースを定義する基本変数の集合を含む。さらに、基本変数を、図２のデータベース２０９のようなデータベース中の回線電力コントローラのインスタンスに関連付け、回線電力コントローラの様々なインスタンスで使用される基本変数を管理できるようにする。ブロック３０４では、サブテンデッドネットワーク要素、例えばサブテンデッドパワーシンク、回線給電遠隔端末、回線給電モデム、回線給電一体型アクセス装置、または他の適当な回線給電ネットワーク要素で使用すべき基本変数があれば、それをパススルーする。このパススルー機能によって、要素管理システムの電力管理アプリケーションとサブテンデッドネットワーク要素の回線電力制御機能との間のインタフェースを確立する。このインタフェースを使用して基本変数を伝送し、サブテンデッドネットワーク要素中の各回線電力コントローラインスタンスを管理及び制御する。
【００４０】
基本変数を使用して、ネットワーク要素を監視及び制御する。ブロック３０６では、ネットワーク要素の動作を監視及び制御する際使用する１つかそれ以上の回線電力制御機能のプロビジョニングを行う。１つの実施形態では、回線電力制御機能は、指定された優先順位または他の指定された基準に基づいて、サービスを低下または停止する電力セーブスイッチング機能をプロビジョニングする。こうした１つの制御機能の例は、図５を参照して後で説明する。ブロック３０８では、ネットワーク要素に影響を与える電力状態に関する情報を監視及び保持する。プロビジョニングされた基本変数と制御機能を使用してこの情報を監視する。１つの実施形態では、プロビジョニングされた基本変数は、回線電力コントローラと回線電力制御機能との間のインタフェースを定義する基本変数の集合を含む。
【００４１】
さらに、この情報を、必要に応じて、要素管理システム上で実行される電力管理アプリケーションにもどして、警報及び他の情報を表示するために使用する。さらに、ブロック３１０で変化が検出された場合、監視されたデータを更新し、何らかの適当な措置を講じる。例えば、１つの実施形態では、選択したサービスまたは機能を停止または低下する電力セーブ機能を起動する。また、保護スイッチング機能を起動してもよい。そしてブロック３０８に戻り、ネットワーク要素の電力条件の監視を継続する。
【００４２】
図４及び図５は、ネットワーク要素の出力手順の実施形態のフローチャートである。回線電力コントローラ２０２の各インスタンスは、プロビジョニングされた基本変数に基づいて管理された回線給電ネットワーク要素の様々な条件を監視する。すなわち、電力コントローラ２０２は、プロビジョニングされた基本変数を通じて、回線給電ネットワーク要素から状態及び警報データを受け取る。電力コントローラ２０２は少なくとも２つの方法で、このデータへのユーザのためのアクセスを提供する。第１に、電力コントローラ２０２は、Ｉ／Ｏ回路２２２に結合したクラフトポートを通じて、データへのアクセスを提供する。図４に示す手順を使用して、クラフトポートからデータを検索する。さらに、図５に示す処理を使用したネットワーク接続を介して、遠隔監視局のユーザにもデータを提供する。
【００４３】
データをクラフトポートに提供する処理は、図４のブロック４００で開始される。ブロック４０２では、監視されている回線給電ネットワーク要素についてのデータを表示するという要求を受け取る。ブロック４０４では、回線給電ネットワーク要素に関連付けられる基本変数を識別する。ブロック４０６では、データベース２０９から、回線給電ネットワーク要素で監視されている現在の条件を示すデータを検索する。ブロック４０８では、ユーザに表示するため、データをＩ／Ｏ回路２１２上のクラフトポートに提供する。処理は、４１０で終了する。１つの実施形態では、監視されるデータの値が変化した場合、さらにクラフトポートで表示されるデータを更新する。
【００４４】
データを遠隔監視局に提供する処理は、図５のブロック５００で開始される。ブロック５０２では、遠隔監視局からの要求を受け取る。ブロック５０４では、回線給電ネットワーク要素に関連付けられる基本変数を識別する。ブロック５０６では、データベース２０９から、回線給電ネットワーク要素で監視されている現在の条件を示すデータを検索する。ブロック５０８では、ユーザに表示するためデータを遠隔監視局に提供する。処理は、５１０で終了する。１つの実施形態では、監視されるデータの値が変化した場合、さらに遠隔監視局で表示されるデータを更新する。
【００４５】
図６は、本発明によるネットワーク要素の電力制御機能の１つの実施形態のフローチャートである。方法は６００で開始される。電力制御機能に関連付けられる基本変数の集合、例えば、電力制御機能が初期化されるとき要素管理システム上で実行される回線電力管理アプリケーションによって提供される基本変数を監視する。６０２では、監視された基本変数から、電力条件の変化が存在する時点を決定する。ブロック６０４では、さらに、１つかそれ以上の回線を介して提供される電力が低下または喪失しているかを決定する。そうである場合、ブロック６０６で保護スイッチングを行い、利用可能な回線を介して電力を提供する。例えば、１つの実施形態では、遠隔端末は、５つのＴ１回線を介して中央局端末からサブテンドされる。２つのＴ１回線を介して電力を供給する。この２つの回線のうち１つを介する電力が喪失または低下した場合、問題のある回線の代わりに、５つの回線のうちの別の１つに電力を供給するようスイッチングを行う。１つの実施形態では、この保護スイッチングはさらに、電力を伝えるために使用する回線が、その回線を介した電力の提供に干渉し得る通信サービスを伝えているかの判定を伴う。そうである場合、そのサービスは別の回線に移動するか、またはその回線を介して電力を供給している間一時停止する。
【００４６】
ブロック６０８では、利用可能な十分な電力が存在するかを判断する。この決定は、ソースＮＥについてプロビジョニングされた基本変数に基づく。例えば、ソースＮＥに利用可能な電力が、現在設定されたサービスを提供するのに必要な電力以上ではない場合、電力は不十分であると決定する。さらに、他の実施形態では、バッテリー電力対回線電力の使用量等といった他の条件に基づいて、電力が不十分であると決定する。さらに、他の実施形態では、基本変数が監視する他の条件を使用して、ソースＮＥの現在の動作を保守するには、電力は不十分であると決定する。十分な電力が存在する場合、ブロック６００に戻り、電力状態の変化についての基本変数の監視を継続する。十分な電力が存在しない場合、上記で定義したように、ブロック６１０で１つかそれ以上の電力セーブ機能を起動する。例えば、中央局端末中の様々な構成要素を電力セーブモードに置き、必要な電力を利用可能な電力のレベル以下に低減する。
【００４７】
図７は、ソースＮＥ２００における各回線電力コントローラインスタンスについての基本変数をデータベース中に格納する処理のフローチャートである。こうした基本変数は、回線電力コントローラがインスタンス化された時点で、要素管理システム、例えば第’３６０号出願の要素管理システムから受け取る。この処理は、ローカルソースＮＥが、そのプロセッサ上で実行される各回線電力コントローラインスタンスについての基本変数を管理する機構を提供する。
【００４８】
処理は、ブロック７００で開始される。ブロック７０２では、回線電力コントローラインスタンスのための識別子（ＩＤ）を生成する。この識別子は、図８のデータベース８００の縦列８０２のようなデータベース中に格納する。一旦識別子を生成したら、基本変数をデータベース８００中に格納する。ブロック７０４では、回線電力マネージャインスタンスに関連付けられる何らかの制御基本変数が存在するかを判断する。そうである場合、ブロック７０６で、制御基本変数を、回線電力マネージャインスタンスに関連付けられる行の列８０４に格納する。そうでない場合、ブロック７０８に進む。ブロック７０８では、回線電力マネージャインスタンスに関連付けられる何らかの警報基本変数が存在するかを判断する。そうである場合、ブロック７１０で、警報基本変数を、回線電力マネージャインスタンスに関連付けられる行の列８０６に格納する。そうでない場合、ブロック７１２に進む。ブロック７１２では、回線電力マネージャインスタンスに関連付けられる何らかの監視基本変数が存在するかを判断する。そうである場合、ブロック７１４で、監視基本変数を回線電力マネージャインスタンスに関連付けられる行の列８０８に格納する。そうでない場合、処理はブロック８１６で終了する。他の実施形態では、基本変数は、それらを受け取る際に、基本変数と回線電力コントローラインスタンスの種類に基づいて、データベース８００の適当な場所に格納する。
【００４９】
ＩＩＩ．電力シンキングネットワーク要素
図９は、回線電力コントローラ９０２を備えた、９００で示す電力シンキングネットワーク要素（シンクＮＥ）の１つの実施形態の構成図である。回線電力コントローラ９０２は、シンクＮＥ９００のためのローカル管理機能及び回線電力制御を提供する。１つの実施形態では、シンクＮＥ９００は、何らかの種類のキャビネット、台座、または他の外部プラント筐体内に収容される通信設備を備える。図１のＥＭＳ１０４のような要素管理システムに対しては、シンクＮＥ９００はアクセスネットワークのネットワーク要素または企業ネットワークの顧客側設備である。
【００５０】
シンクＮＥ９００は、ソースＮＥと１つかそれ以上の加入者インタフェースとの間で信号を通信する。シンクＮＥ９００の通信及び他の基本的機能は、当該技術分野で公知の通信及び他の回路９０４で実現する。１つの実施形態では、回路２０４は、非対称デジタル加入者回線（ＡＤＳＬ）、Ｇ．ＳＨＤＳＬ、ＶＤＳＬ、及び他の適当な通信プロトコルといった１つかそれ以上の通信プロトコルをサポートする。
【００５１】
シンクＮＥ９００は回線給電される。１つの実施形態では、シンクＮＥ９００とそのソースＮＥ、例えば図２のソースＮＥ２００とを結合する１つかそれ以上のリンク９２５を介して、電力をシンクＮＥ９００に提供する。１つの実施形態では、交流電力供給部から電力を供給する。他の実施形態では、直流電力供給部から電力を供給する。さらに別の実施形態では、バッテリープラントまたは他のバックアップ電力供給部を備えた交流電力供給部から電力を供給する。
【００５２】
リンク９２５は、シンクＮＥ９００の動作のための電力を受け取る。１つの実施形態では、リンク９２５は、例えば、銅ケーブル、より線対等といった導電性媒体を介して、中央局端末とシンクＮＥ９００との間で電力及び通信両方の信号を伝える。１つの実施形態では、リンク９２５は、１つかそれ以上のリンクを備える。電力を伝える多数のリンクの使用はシンクＮＥ、例えば回線給電遠隔端末、顧客宅内設備等の電力管理を実現する際利点を提供する。例えば、多数のリンクを使用していて、あるリンクが損傷または他の理由で基本変数によって指定された量の電力を供給できない場合、残りの１つかそれ以上のリンクを介して電力を供給することができる。リンク９２５上で供給される電力及び通信信号は、スプリッタ９３０の入力に供給される。１つの実施形態では、第’５９２号出願に記載のように構成する。スプリッタ９３０は、通信信号から電力信号を分離する。スプリッタ９３０は、電力信号をローカル電力供給部９３２に供給し、電力供給部９３２の出力９３５でシンクＮＥ９００のための電力を供給する。出力９３５は電力を、例えば、プロセッサ９０８、データストア９１０、通信及び他の回路９０４、及びＩ／Ｏ回路９２２に電力を供給する。さらに、スプリッタ９３０は、通信信号を通信及び他の回路９０４に供給する。
【００５３】
回線電力コントローラ９０２は、電力条件に基づいてシンクＮＥ９００の動作を管理する。回線電力コントローラ９０２は、電力条件に基づいてシンクＮＥ９００の管理を実現するため、プログラム可能プロセッサ９０８上で実行される、回線電力制御機能９０６によって表されるいくつかの機能を含む。１つの実施形態では、回線電力制御機能９０６は第’３５８号出願に記載のように実現する。１つの実施形態では、プロセッサ９０８が使用する機能は、機械可読媒体、例えばデータストア９１０の不揮発性メモリ中に格納した機械可読命令による複数の手順またはプログラムとして格納する。１つの実施形態では、データストア９１０は、ディスクドライブ、ダイナミックランダムアクセスメモリ（ＤＲＡＭ、ＳＲＡＭ）、フラッシュメモリ、読み出し専用メモリ（ＲＯＭ）、電気的消去可能プログラム可能読み出し専用メモリ（ＥＥＰＲＯＭ）、または他の適当な記憶媒体といった１つかそれ以上の磁気記憶媒体を備える。
【００５４】
プロセッサ９０８上で実行される回線電力コントローラ９０２及び回線電力制御機能９０６は、プロセッサ９０８上で実行される回線電力制御機能の各インスタンスについて確立されたいくつかの基本変数に基づいて、電力状態を監視しシンクＮＥ９００の動作を制御する。基本変数と回線電力制御機能のインスタンスとの間の関連付けは、データストア９１０のデータベース９０９中で確立し保持する。回線電力コントローラの各インスタンスについての基本変数の選択は、１つの実施形態では、第’３６０号出願に記載のシステムのような要素管理システムで達成する。
【００５５】
シンクＮＥ９００の様々な要素は、通信インタフェース９１１を介して互いに結合する。さらに、ソースＮＥ９００は、クラフトポート、ディスプレイ、キーボード、マウス、タッチスクリーンまたは他の適当な入出力装置といった入出力装置へのインタフェースを提供する入出力回路（Ｉ／Ｏ）９２２を含む。１つの実施形態では、通信インタフェース９１１は、ソースＮＥ９００の様々な構成要素間で信号を伝える１つかそれ以上のバスを備える。１つの実施形態では、通信インタフェース９１１はプロセッサ９０８、データストア９１０、Ｉ／Ｏ回路９２２、及び通信回路９０４に結合する。
【００５６】
図１０及び図１１は、シンクＮＥ９００のための電力管理を提供するために使用する機能の様々な実施形態を説明する。１つの実施形態では、ＮＥシンク９００は、ＮＥシンク９００から監視されたデータを読み出す図４及び図５の処理をサポートする。さらに、１つの実施形態では、図７の処理及び図８のデータベースは、回線給電ネットワーク要素の各インスタンスに関連付けられる基本変数のローカル記憶領域を提供するＮＥシンク９００において実現する。
【００５７】
図１０は、図９の回線電力コントローラ９０２のようなサブテンデッドネットワーク要素のための、回線電力コントローラの処理の１つの実施形態のフローチャートである。処理はブロック１０００で開始され、ローカル回線電力コントローラ、例えば図９の回線電力コントローラ９０２をインスタンス化する。本明細書では、回線電力コントローラの単一のインスタンスを説明する。しかし、シンクＮＥの正常動作の際、回線給電ネットワーク要素（単数または複数）でプロビジョニングされる様々なサービスを制御するため、回線電力コントローラの多くのインスタンスが、図９のプロセッサ９０８のようなプロセッサ上で同時に実行されることが理解されるだろう。
【００５８】
この処理は、電力状態に基づき、基本変数の１つかそれ以上の集合に基づいて、ネットワーク要素の動作を制御する。ブロック１００２では、基本変数の１つかそれ以上の集合を受け取る。１つの実施形態では、基本変数は中央局端末からパススルー基本変数として受け取る。他の実施形態では、上記で図１を参照しかつ第’３６０号出願で説明したような要素管理システム上で実行される電力管理アプリケーションから、基本変数を直接受け取る。１つの実施形態では、こうした基本変数は、要素管理システム上で実行される電力管理アプリケーションと回線電力コントローラとの間のインタフェースを定義する基本変数の集合を含む。さらに、基本変数を、図９のデータベース９０９のようなデータベース中の回線電力コントローラのインスタンスに関連付け、回線電力コントローラの様々なインスタンスで使用される基本変数を管理できるようにする。
【００５９】
基本変数を使用して、ネットワーク要素を監視及び制御する。ブロック１００４では、ネットワーク要素の動作を監視及び制御する際使用する１つかそれ以上の回線電力制御機能のプロビジョニングを行う。１つの実施形態では、回線電力制御機能は、指定された優先順位または他の指定された基準に基づいて、サービスを低下または停止する電力セーブスイッチング機能をプロビジョニングする。こうした１つの制御機能の例は、図１１を参照して後で説明する。ブロック１００６では、ネットワーク要素に影響を与える電力条件に関する情報を監視及び保持する。プロビジョニングされた基本変数と制御機能を使用してこの情報を監視する。１つの実施形態では、プロビジョニングされた基本変数は、回線電力コントローラと回線電力制御機能との間のインタフェースを規定する基本変数の集合を含む。
【００６０】
さらに、この情報を、必要に応じて、要素管理システム上で実行される電力管理アプリケーションにもどし、警報及び他の情報を表示するために使用する。さらに、ブロック１００８で変化が検出された場合、ブロック１０１０で監視されたデータを更新し何らかの適当な措置を講じる。例えば、１つの実施形態では、選択したサービスまたは機能を停止または低下する電力セーブ機能を起動する。また、保護スイッチング機能を起動してもよい。そしてブロック１００６に戻り、ネットワーク要素の電力条件の監視を継続する。
【００６１】
図１１は、本発明によるネットワーク要素の電力制御機能の１つの実施形態のフローチャートである。その方法は、１１００で開始する。電力制御機能に関連付けられる基本変数の集合、例えば、電力制御機能が初期化される時要素管理システム上で実行される回線電力管理アプリケーションによって提供される基本変数を監視する。１つの実施形態では、こうした基本変数は、バッテリープラントの状態及びサブテンデッドシンクＮＥに提供される電力供給部の交流入力の状態を含む。１１０２では、シンクＮＥの現在の電力条件を決定する。例えば、しきい値または電力ヘッドルーム計算を使用し、電力性能パラメータ及び統計に基づいて電力状態を決定する。この現在の電力状態の監視を達成するため、様々な測定技術が利用可能である。例えば、１つの実施形態では、使用される電力の割合、利用可能な合計ワットに対する使用されるワット数、及び電力を供給するために利用可能なプロビジョニングされた回線の数に基づく直接電力計算を使用する。他の実施形態では、電力ヘッドルーム計算を使用し、その際反復電力ヘッドルーム推定を計算する。利用可能な電力の有意義な測定結果を生成するため、シンクＮＥは、シンクＮＥの回路の予想可能な電力消費挙動を提供する電力制御インタフェース技術をも含む。すなわち、電力計算は、現在の電力状態に基づいて措置を講じる必要があるかを決定する基礎を提供する。
【００６２】
ブロック１１０４では、さらに、１つかそれ以上の回線を介して提供される電力が低下または喪失しているかを決定する。そうである場合、方法はブロック１１０６で保護スイッチングを行い、利用可能な回線を介して電力を供給する。例えば、１つの実施形態では、遠隔端末は５つのＴ１回線を介して中央局端末からサブテンドされる。２つのＴ１回線を介して遠隔端末に電力を供給する。この２つの回線のうち１つを介する電力が喪失または低下した場合、問題のある回線の代わりに、５つの回線のうち別の１つを介して電力を供給するようスイッチングを行う。１つの実施形態では、この保護スイッチングはさらに、電力を伝えるために使用する回線が、その回線を介した電力の供給に干渉し得る通信サービスを伝えているかの判断を伴う。そうである場合、そのサービスは別の回線に移動するか、またはその回線を介して電力を供給している間一時停止する。
【００６３】
ブロック１１０８では、利用可能な十分な電力が存在するかを判断する。この判断は、シンクＮＥについてプロビジョニングされた基本変数に基づく。例えば、シンクＮＥに利用可能な電力が、現在設定されたサービスを提供するのに必要な電力以上でない場合、電力は不十分であると決定する。さらに、他の実施形態では、バッテリー電力対回線電力の使用量等といった他の条件に基づいて、電力が不十分であると判断する。さらに、他の実施形態では、基本変数が監視する他の条件を使用して、シンクＮＥの現在の動作を保持するには、電力は不十分であると判断する。十分な電力が存在する場合、ブロック１１００に戻り、電力条件の変化についての基本変数の監視を継続する。十分な電力が存在しない場合、先に規定したように、ブロック１１１０で、１つかそれ以上の電力セーブ機能を起動する。例えば、１つの実施形態では、シンクＮＥ中の様々な構成要素を電力セーブモードに置き、必要な電力を利用可能な電力のレベル以下に低減する。さらに、他の実施形態では、サービスの選択的パワーダウンを提供する。この場合、プロビジョニングされた基本変数と現在の電力条件に基づいて、シンクＮＥで提供されるサービスを選択的に低下または停止する。すなわち、例えば、利用可能な合計電力が選択したレベル以下になった場合、優先順位の低いサービス、例えばデータをまず停止し、優先順位の高いサービス、例えばＰＯＴＳには影響を与えない。同様に、交流電力が喪失し電力がバックアップバッテリー電源から提供される場合、優先順位の低いサービスを選択的に停止する。
【００６４】
図３〜図７、図１０及び図１１に示す処理を、順次ステップとして記載したが、この機能は、従来または後に開発されるプログラミング技術を使用して、多くの方法で実現可能である。さらに、本明細書で説明した処理及び技術は、デジタル電子回路において、またはプログラム可能プロセッサ（例えば、専用プロセッサまたはコンピュータのような汎用処理）、ファームウェア、ソフトウェア、またはそれらの組み合わせによって実現してもよい。これらの技術を実現する装置は、適当な入出力装置、プログラム可能プロセッサ、及びプログラム可能プロセッサによって実行されるプログラム命令を具体的に実現する記憶媒体を含んでもよい。こうした技術を実現する処理は、入力データに対して動作し適当な出力を生成することによって望ましい機能を行う命令のプログラムを実行するプログラム可能プロセッサによって行ってもよい。この技術は有利にも、データ記憶システム、少なくとも１つの入力装置、及び少なくとも１つの出力装置からデータ及び命令を受け取り、それらにデータ及び命令を伝送するよう結合した少なくとも１つのプログラム可能プロセッサを含むプログラム可能システム上で実行可能な１つかそれ以上のプログラムにおいて実現してもよい。一般に、プロセッサは、命令及びデータを読み出し専用メモリ及び／またはランダムアクセスメモリから受け取る。コンピュータプログラム命令及びデータを具体的に実現するのに適した記憶装置は、ＥＰＲＯＭ、ＥＥＰＲＯＭ、及びフラッシュメモリ装置といった半導体記憶装置、内部ハードディスク及び着脱式ディスクといった磁気ディスク、光磁気ディスク、及びＣＤ−ＲＯＭディスクを一例として含む全ての形態の不揮発性メモリを含む。上記の何れも、専用設計の特定用途向け集積回路（ＡＳＩＣ）によって補足し、またはそれに組み込んでもよい。
【００６５】
特許請求の範囲に記載の本発明のいくつかの実施形態を説明した。それにもかかわらず、請求した発明の範囲から離れることなく、説明した実施形態の様々な修正がなし得ることが理解されよう。従って、その他の実施形態は、特許請求の範囲内にある。
【図面の簡単な説明】
【００６６】
【図１】電力管理アプリケーションを備えたアクセスネットワークの実施形態の構成図である。
【図２】回線電力コントローラを備えた電力ソーシングネットワーク要素の１つの実施形態の構成図である。
【図３】ネットワーク要素のための回線電力コントローラのプロビジョニングを行い電力コントローラによって回線給電ネットワーク要素を管理する処理の１つの実施形態のフローチャートである。
【図４】ネットワーク要素の出力手順の実施形態のフローチャートである。
【図５】ネットワーク要素の出力手順の実施形態のフローチャートである。
【図６】本発明の教示によるネットワーク要素の電力制御機能の１つの実施形態のフローチャートである。
【図７】ネットワーク要素における各電力コントローラインスタンスについての基本変数をデータベース中に格納する処理のフローチャートである。
【図８】ネットワーク要素における電力コントローラのインスタンスに関連付けられる基本変数を追跡するデータベースを図示する。
【図９】電力コントローラを備えた電力シンキングネットワーク要素の１つの実施形態の構成図である。
【図１０】サブテンデッドネットワーク要素の電力コントローラのための処理の１つの実施形態のフローチャートである。
【図１１】サブテンデッドネットワーク要素のための電力制御関数の１つの実施形態のフローチャートである。
【図１】
2006526952.tif 000003
【図２】
2006526952.tif 000004
【図３】
2006526952.tif 000005
【図４】
2006526952.tif 000006
【図５】
2006526952.tif 000007
【図６】
2006526952.tif 000008
【図７】
2006526952.tif 000009
【図８】
2006526952.tif 000010
【図９】
2006526952.tif 000011
【図１０】
2006526952.tif 000012
【図１１】
2006526952.tif 000013
【国際調査報告】
2006526952.tif 000014
2006526952.tif 000015